(57)【特許請求の範囲】
【請求項１】
金属製の中空パイプ２又は中実棒状体２ａの上部に金属製の横部材３が取着されて成る杭１に於いて、上記中空パイプ２又は中実棒状体２ａの上部に、その側面の一端から他端に通る貫通穴１１ａ、１１ｂを形成すると共に、この貫通穴１１ａ、１１ｂに対して離隔した位置の側面の一端のみに一端通し穴１２ａを形成し、他方上記横部材３の中央部４を中にした一側を一側折曲部５によって折曲げ、その先に一側部６を形成し、この横部材３の中央部４を上記貫通穴１１ａ、１１ｂに通すと共に、上記一側折曲部５の先の一側部６の一端７を上記一端通し穴１２ａに通し、その態様で中央部４の他方の側を他側折曲部８によって折曲げ、その先に他側部９を形成し、他側部の先端の他端１０を中空パイプ２又は中実棒状体２ａの管肉部１３に臨ましめ、上記中空パイプ２又は中実棒状体２ａの管肉部１３を中にして横部材３の一端７と他端１０を対向せしめるようにして横部材３が中空パイプ２又は中実棒状体２ａに装着されていることを特徴とする杭。
【請求項２】
上記横部材３の一側、他側の折曲部５、８が各々Ｕ字状に折曲げられて成ることを特徴とする請求項１に記載の杭。
【請求項３】
上記横部材３の一側と他側には各々２つの折曲部５、８が形成され、横部材３の中空パイプ２又は中実棒状体２ａを中にした一側、他側は各々上面からみて略三角形状に形成されて成ることを特徴とする請求項１に記載の杭。
【請求項４】
上記中空パイプ２又は中実棒状体２ａの貫通穴１１ａ、１１ｂと、上記一端通し穴１２ａは中空パイプ２又は中実棒状体２ａの上下方向に離隔して形成されていることを特徴とする請求項１、２、３の何れか１項に記載の杭。
【発明の詳細な説明】
【０００１】
【発明の属する技術分野】
本発明は杭に係わり、更に詳しくはブロック組積工事、Ｕ字溝設置工事、その他の簡易工事の際に基礎に埋設して使用する杭に関するものである。
【０００２】
【従来の技術】
周知の通り、以前のブロック組積工事は、捨て石上にコンクリートを流し込んで形成した基礎上に、鉄筋で支持させた態様でブロックを積み上げて構築していた。この為に大きな地震時等には基礎から根こそぎ横倒しになる危険性を有していた。
そこで本出願人は先に実願２００１−８２８８号によって、図１４、図１５に示すように地表面Ｇに掘削溝１３１に捨て石１３２を敷き、コンクリート１３３を打設して基礎を形成し、その基礎に所定間隔毎に立設保持した鉄筋を挿通して複数のコンクリートブロック１３４を積み上げ固定して成るコンクリートブロック塀に於いて、上記基礎を形成する為の掘削溝１３１の底面から杭柱１０２を地中に向けて鉛直に設置し、その上端がコンクリート基礎に埋設されるようにし、且つ上記杭柱１０２の上方に横部材１０３を取着して成る杭１０１を提案した。上記の場合、杭柱１０２に対して横部材１０３は、棒状の金属材１０４を挿通孔１１１ａ、１１１ｂに通し、金属材１０４と中空パイプ１０２間を溶接止めしていた。
【０００３】
【発明が解決しようとする課題】
上記従来技術の場合、杭１０１が基礎を支えるので、地震等によってもコンクリートでブロック１３４の倒壊の恐れがほとんどない利点がある。
ところが、杭１０１に着目すると、杭柱１０２に対して横部材１０３の金属材１０４を挿通孔１１１ａ、１１１ｂに通し、挿通孔１１１ａ、１１１ｂ付近で金属材１０４と杭柱１０２を溶接Ａする構造なので、杭１０１を地中に打込む時の打撃、振動等により上記溶接止めが剥離したりして、横部材１０３が杭柱１０２に対して正規の取付位置から横方向にズレたりすることが起きかねない。仮に正規の取付位置から構方向にズレたり外れたりすると、その後工程のコンクリート打設の作業に支障を来すし、杭１０１が予期した通りの性能を発揮しない場合があった。
【０００４】
【目的】
従って本発明の目的とするところは、杭を構成する中空パイプ又は中実棒状体に対する横部材の取付が容易で、而も横部材を取付けた後は、打撃や振動を加えても中空パイプ又は中実棒状体に対する横部材の取付位置が決してズレることのない杭を提供するにある。従ってブロック積工事、Ｕ字溝工事等の工事の為の基礎と杭打ち作業が能率よく実施でき且つ予定通り正確に杭打ち作業ができる杭を提供するにある。
【０００５】
【課題を解決する為の手段】
上記目的を達成する為に本発明は次の技術的手段を有する。即ち本発明は金属製の中空パイプ２又は中実棒状体２ａの上部に金属製の横部材３が取着されて成る杭１に於いて、上記中空パイプ２又は中実棒状体２ａの上部に、その側面の一端から他端に通る貫通穴１１ａ、１１ｂを形成すると共に、この貫通穴１１ａ、１１ｂに対して離隔した位置の側面の一端のみに一端通し穴１２ａを形成し、他方上記横部材３の中央部４を中にした一側を一側折曲部５によって折曲げ、その先に一側部６を形成し、この横部材３の中央部４を上記貫通穴１１ａ、１１ｂに通すと共に、上記一側折曲部５の先の一側部６の一端７を上記一端通し穴１２ａに通し、その態様で中央部４の他方の側を他側折曲部８によって折曲げ、その先に他側部９を形成し、他側部９の先端の他端１０を中空パイプ２又は中実棒状体２ａの管肉部１３に臨ましめ、上記中空パイプ２又は中実棒状体２ａの管肉部１３を中にして横部材３の一端７と他端１０を対向せしめるようにして横部材３が中空パイプ２又は中実棒状体２ａに装着されていることを特徴とする杭である。
【０００６】
又上記横部材３の一側、他側の折曲部５、８が各々Ｕ字状に折曲げられて成ることをも特徴とする。
【０００７】
更に、上記横部材３の一側と他側には各々２つの折曲部５、８が形成され、横部材３の中空パイプ２又は中実棒状体２ａを中にした一側、他側は各々上面からみて略三角形状に形成されて成ることをも特徴とする。
【０００８】
そして、上記中空パイプ２又は中実棒状体２ａの貫通穴１１ａ、１１ｂと、上記一端通し穴１２ａは中空パイプ２又は中実棒状体２ａの上下方向に離隔して形成されていることをも特徴とする。
【００１０】
【作用】
上記構成に基くと、横部材３は、その中央部４が中空パイプ２又は中実棒状体２ａの貫通穴１１ａ、１１ｂに貫通せしめられ、且つ左右に一側、他側折曲部５、８が形成され、その内の一側折曲部５の先の一側部６の一端７が一端通し穴１２ａに挿通され、その一端７と、他側折曲部８の先の他側部９の他端１０が中空パイプ２又は中実棒状体２ａの管肉部１３を中にして対向して位置して装着されているので、横部材３は中空パイプ２又は中実棒状体２ａの左右の何れの方向へも動くことが規制されている。つまり、横部材３全体が一側折曲部５の方向へ移動しようとすると、他側部９の他端１０が管肉部１３の外面に当り、その動きを止め、逆に他側折曲部８の方向へ移動しようとすると、一側部６の一端７が管肉部１３の内面に当り、その動きを止める。
従って中空パイプ２又は中実棒状体２ａに対し、横部材３を溶接等で固着することなくしっかりと且つ容易に装着できる。そして、地中に埋設工事するために、杭１の頭をハンマーで打撃しても、その衝撃や振動等によって横部材３の装着位置が横にズレたり、外れてしまうこともない。従って基礎の構築やブロック組積工事、Ｕ字溝施工等の工事が容易となる。
【００１１】
【発明の実施の形態】
次に添付図面図１〜図１３に従がい本発明の好適な実施の形態を説明する。
先ず図１〜図８に従がい第一の実施の形態を説明する。
図１に示すように横部材３を加工する為に予め一定の長さの金属棒材を準備する。これは所定長さの鉄筋を一定長さに順次切断して得られる。
次いで、中央部４の一側に位置する部分をＵ字状に折曲▲１▼して一側折曲部５を形成し、その先に一側部６を形成する。これらの折曲▲１▼は、いわゆるベンダーと称される曲げ加工装置を用いて曲げる。
【００１２】
他方図２に示すように、中空パイプ２の上方部に貫通穴１１ａ、１１ｂを形成し、且つその貫通穴１１ａ、１１ｂの形成位置に対して下方向に位置する位置に、上記貫通穴１１ａが形成されている側にのみその貫通穴１１ａに揃えて一端通し穴１２ａを形成する。それらの穴の形成に際して、同時にこの実施形態の場合、中空パイプ２に間隔を置いて穴１４を形成しておく。
【００１３】
この後、図２に示すように一側から横部材３の中央部４を上記貫通穴１１ａ、１１ｂに通すと共に、一側部６の先端７を一端通し穴１２ａに挿通▲２▼する。その後、他側をＵ字状に折り曲げ▲３▼、他側折曲部８を形成し、その先の他側部９の他端１０を中空パイプ２の管肉部１３の外面に臨ませる。
【００１４】
つまり、横部材３の一側部６の一端７が中空パイプ２の中に入り込んで、管肉部１３の内側に対向し、他側部９の他端１０が中空パイプ２の外側に在って、管肉部１３の外面に対向している。その結果、管肉部１３が一端７と他端１０間に挟まれることになる。従って横部材３は、中空パイプ２に対し、中央部４が貫通穴１１ａ、１１ｂに通されているだけでなく、一端７が一端通し穴１２ａに挿通されているものの、その一端７は、管肉部１３に対向し、その管肉部１３を挟んで他端１０が管肉部１３に対向して装着されているから、横部材３は中空パイプ２に対して予め取付けられた位置を決して動くことがない。図３、図４、図５の各図はその状態をよりよく示している。
【００１５】
このような構成の杭１の利用途は主に簡易基礎に埋め込まれて使用されるもので、一例を示せば、中空パイプ２の上下高さ５５０〜７００ｍｍ、直径４５〜５０ｍｍ、貫通穴１１ａ、１１ｂ又は一端部通し穴の穴径１５ｍｍ、他方横部材３の左右間の長さ２５０〜３００ｍｍ、その直径１３ｍｍのものをあげることができ、その使用態様の一例は図６、又は図７あるいは図８に示されている。
【００１６】
図６の例は地表Ｇ．Ｌ．に掘削溝３１に捨て石３２を敷き、その後にこの杭１を掘削溝３１の底から埋め込む。この際杭１の中空パイプ２の頭の部分をハンマーで打撃しても、中空パイプ２に対する横部材３の取付位置は打撃や振動等によって移動することはない。その理由は、横部材３全体が一側折曲部５の方向へ移動しようとしても、他側部９の他端１０が管肉部１３の外面に当り、その動きが止まるからであり、反対に他側折曲部８の方向へ移動しようとすると、一側部６の一端７が管肉部１３の内面に当り、その動きが止まるからである。
【００１７】
この後、コンクリート３３を打設し、杭１によって地中から支持された基礎を構築し、ブロック３４を組積し、且つ必要な鉄筋３５を配設することによってブロック塀を構築する。この場合、中空パイプ２の上部及び横部材３がコンクリート基礎中に埋込まれ、中空パイプ２の下部は地中に打込まれているので、基礎がしっかりと固定される。そしてこの実施例では、パイプ２が中空なので、その中にコンクリート又は土粒子が入り込むから、より一層基礎をしっかりと地中に支える。この時中空パイプ２に穴１４が形成されているので、この穴１４を通して土粒子がパイプ２内に入り易くなる。
【００１８】
続いて図７の使用例は、この杭１全体をコンクリート基礎３３中に埋込んで使用する例である。即ち横部材３部分を埋込む基礎上部３１ａと、中空パイプ２を埋込む基礎下部３１ｂ中に杭１を埋込んで使用する。その他は図６の使用例と略同じである。この例の場合、矢示Ｓに示すように穴１４から打設コンクリートが中空パイプ２中に入り込むので杭の中空パイプ２が基礎に強固に固定される。更に図８の使用例は、Ｕ字溝の基礎を固定する為にこの杭１を用いた例で、掘削溝４０に捨て石４１を敷き、次いでこの杭１を地中に打込し、コンクリート４２を打設し、その基礎上にＵ字溝４３を固定したものである。この場合も杭１の中空パイプ２に対し横部材３は移動したりしない。
【００１９】
これらの例からも判る通り、この杭１は、横部材３が中空パイプ２に対し溶接、ビス等によって固定されていない。単に横部材は貫通穴１１ａ、１１ｂ、一端通し穴１２ａに通され、且つ折曲げられているのみである。従って施工現場で、中空パイプ２に対する横部材３の大きさを変えたりする場合、異なった横部材にすじ取り替えることができるのでその要求に直ちに応えることができる。又、一側、他側に於いて金属材が輪状になっており、その為基礎のコンクリートがその輪中に入り込むから基礎に強固に取り付けられる。
【００２０】
次に添付図面図９〜図１１に従がい第二の実施態様を説明する。
この実施態様は一側、他側に於ける折曲部を各々２つとしたものである。即ち横部材３の中央部４を貫通穴１１ａ、１１ｂに通した後、一側を２回折曲し▲２▼、▲３▼、即ち折曲部５を２つ形成し、一側部６の一端７を一端通し穴１２ａに通し、その一端７を管肉部１３の内面に対向させる。他方、他側も２回折曲し▲５▼、▲６▼、即ち折曲部８を２つ形成し、他側部９の他端１０を中空パイプ２の管肉部１３の外面に対向させる。これにより横部材３の一側、他側は各々上面からみて略三角形状に形成される。そして、これによって横部材３の一端７と他端１０が管肉部１３を中にして対向し、管肉部１３が一端７と他端１０の間に挟まれる。
この実施態様の杭１も先の実施態様の杭１と同様の作用、効果を呈する上に、横部材３の一側、他側に三角状の部材が水平方向に展開するのでコンクリート基礎中埋込した時に、コンクリート基礎に対して横部材３が水平方向でよりしっかりと固定される。
【００２１】
図１２は第三の実施態様を示し、中空パイプ２の上方に於ける貫通穴１１ａ、１１ｂと一端通し穴１２ａを中空パイプ２の上部の同一高さの位置に形成し、第一の実施態様の横部材３の取付態様を垂直方向に沿った取付とすれば、これはそれに対し横部材３の取付態様を水平方向に沿った取付としたものである。この例の場合も第一の実施態様と同一の作用、効果を呈する。
【００２２】
図１３は第四の実施態様を示し、中空パイプ２の代りに中実棒状体２ａを用いた例である。このように杭１は、中空パイプ２でも中実棒状体２ａでもよい。この場合には、中実棒状体２ａの貫通穴１１ａ、１１ｂを文字通り中実部分を貫通して形成する。そして一端通し穴１２ａは溝穴のように形成する。この例の場合も実施態様１と同一の作用、効果を呈する。
【００２３】
【効果】
以上詳述した如く本発明によると中空パイプ又は中実棒状体の上部に溶接やビスその他の取付部材を用いることなく、端に穴明け及び折曲げ、挿入作業のみで簡単に横部材を取着できる杭を得ることができ、而も中空パイプ、中実棒状体に取着した横部材が、杭打込時の打撃の衝撃や振動等によって規定取付位置からズレたり、外れたりすることがない杭を提供できる。従って杭打ち作業及びその後の各種工事の能率向上に資するものである。
【図面の簡単な説明】
【図１】本発明に係わる杭の第一の実施の形態を示し、横部材を折曲成型するところを示す図である。
【図２】第一の実施の形態に於ける杭の加工工程を示す図である。
【図３】第一の実施の形態に於ける杭の中央縦断側面図である。
【図４】第一の実施の形態に於ける杭の側面図である。
【図５】第一の実施の形態に於ける杭の上面図である。
【図６】第一の実施の形態の杭をブロック塀の基礎に用いた所を示す断面を含む斜視図である。
【図７】第一の実施の形態の杭全体を基礎中に埋込使用した所を示す断面を含む斜視図である。
【図８】第一の実施の形態の杭をＵ字溝の基礎に用いた所を示す断面を含む斜視図である。
【図９】本発明に係る杭の第二の実施の形態を示し、横部材を折曲成型する点を併せて示した上面図である。
【図１０】第二の実施の形態の杭の正面図である。
【図１１】第二の実施の形態の杭の側面図である。
【図１２】本発明に係る杭の第三の実施の形態を示す横部材が装着された所の横断面図である。
【図１３】本発明に係る杭の第四の実施の形態を示す中央縦断側面図である。
【図１４】従来の杭を基礎中に埋込んだ所を示す図である。
【図１５】図１３に示す従来の基礎中に埋込んだ杭の上面図である。
【符号の説明】
１    杭
２    中空パイプ
２ａ  中実棒状体
３    横部材
４    中央部
５    一側折曲部
６    一側部
７    一端
８    他側折曲部
９    他側部
１０  他端
１１ａ，１１ｂ    貫通穴
１２ａ  一端通し穴
１３  管肉部
１４  穴
３１，４０    掘削溝
３２，４１    捨て石
３３，４２    基礎
３４  ブロック
３５  鉄筋
４３  Ｕ字溝
【図１】
0003663490.tif 000002
【図２】
0003663490.tif 000003
【図３】
0003663490.tif 000004
【図４】
0003663490.tif 000005
【図５】
0003663490.tif 000006
【図６】
0003663490.tif 000007
【図７】
0003663490.tif 000008
【図８】
0003663490.tif 000009
【図９】
0003663490.tif 000010
【図１０】
0003663490.tif 000011
【図１１】
0003663490.tif 000012
【図１２】
0003663490.tif 000013
【図１３】
0003663490.tif 000014
【図１４】
0003663490.tif 000015
【図１５】
0003663490.tif 000016